(57)【特許請求の範囲】
【請求項１】
口部材付きパウチ容器の口部材とコネクタ付き医療用カテーテルとを接続するアダプタであって、
一端側に前記コネクタ付き医療用カテーテルの接続部に圧入される先細テーパ状のカテーテル側装着部と、
他端側に前記口部材付きパウチ容器の口部材に接続されるパウチ側装着部とを有し、
前記カテーテル側装着部は、形状の異なる滑り止め部が形成された、小径接続部と大径接続部とを有し、
前記小径接続部の滑り止め部は、複数の断面鋸歯状の突条によって構成されており、
前記大径接続部の滑り止め部は、複数の断面略半円状の突条によって構成されていることを特徴とするアダプタ。
【請求項２】
前記カテーテル側装着部と前記パウチ側装着部とを接続する中間部を有し、
前記中間部には、その外周面に周方向に延びる複数の突条からなるローレットが形成されている請求項１に記載のアダプタ。
【発明の詳細な説明】
【技術分野】
【０００１】
この発明は、例えば、経腸栄養剤や流動食等が充填された口部材付きパウチ容器の口部材と胃ろうカテーテル等のコネクタ付き医療用カテーテルとを接続するアダプタに関する。
【背景技術】
【０００２】
脳卒中等で嚥下障害が発生し、自力で食事ができない人や食べてもむせ込んで肺炎などを起こしやすい人の栄養補給としては、点滴で静脈に栄養分を入れる静脈栄養法が広く行われていたが、これを長く続けると腸粘膜の抵抗性が落ち、細菌感染による敗血症が起きる恐れがあるので、近年では、腹部に穴を開けて胃に胃ろうカテーテルを入れる経皮内視鏡的胃ろう増設術（ＰＥＧ）を行い、この胃ろうカテーテルを介して胃に経腸栄養剤や流動食等を直接投与することで、腸管から本来の形で栄養や水分を吸収させる経管経腸栄養法が採用されている。
【０００３】
ところで、こういった胃ろう用の経腸栄養剤や流動食等は、注出口となる口部材が取り付けられた口部材付きパウチ容器に充填されており、上述したように、胃ろうカテーテルを介して胃に経腸栄養剤や流動食等を直接投与する場合は、経腸栄養剤や流動食等が充填された口部材付きパウチ容器の口部材と胃ろうカテーテルとを所定のアダプタを介して接続することによって行われる。
【０００４】
【特許文献１】特開２００６−４２８５６号公報
【発明の開示】
【発明が解決しようとする課題】
【０００５】
しかしながら、現在、胃ろうカテーテルは、アダプタが圧入される接続部の口径が大、小２種類のものが一般的に流通しているため、経腸栄養剤や流動食等が充填された口部材付きパウチ容器の製造メーカは、漏れが発生しないように、それぞれの胃ろうカテーテルに応じた２種類のアダプタを付属しなければならず、汎用性に欠けるといった問題があった。
【０００６】
そこで、この発明の課題は、漏れが発生することなく、上述した２種類の胃ろうカテーテルを口部材付きパウチ容器の口部材に確実に接続することができるアダプタを提供することにある。
【課題を解決するための手段】
【０００７】
上記の課題を解決するため、請求項１に係る発明は、口部材付きパウチ容器の口部材とコネクタ付き医療用カテーテルとを接続するアダプタであって、一端側に前記コネクタ付き医療用カテーテルの接続部に圧入される先細テーパ状のカテーテル側装着部と、他端側に前記口部材付きパウチ容器の口部材に接続されるパウチ側装着部とを有し、前記カテーテル側装着部は、形状の異なる滑り止め部が形成された、小径接続部と大径接続部とを有し、前記小径接続部の滑り止め部は、複数の断面鋸歯状の突条によって構成されており、前記大径接続部の滑り止め部は、複数の断面略半円状の突条によって構成されていることを特徴とするアダプタを提供するものである。
【０００８】
また、請求項２に係る発明は、請求項１に係る発明のアダプタにおいて、前記カテーテル側装着部と前記パウチ側装着部とを接続する中間部を有し、前記中間部には、その外周面に周方向に延びる複数の突条からなるローレットが形成されていることを特徴としている。
【発明の効果】
【０００９】
以上のように、請求項１に係る発明のアダプタは、カテーテル側装着部における小径接続部及び大径接続部に、形状の異なる滑り止め部を形成し、小径接続部の滑り止め部を、複数の断面鋸歯状の突条によって構成すると共に、大径接続部の滑り止め部を、複数の断面略半円状の突条によって構成しているので、漏れが発生することなく、コネクタ付き医療用カテーテルとして、一般的に流通している２種類の胃ろうカテーテルと口部材付きパウチ容器の口部材とを確実に接続することができる。
【００１０】
また、請求項２に係る発明のアダプタは、カテーテル側装着部とパウチ側装着部とを接続する中間部を設け、その中間部の外周面に周方向に延びる複数の突条からなるローレットを形成したので、このアダプタを胃ろうカテーテルの接続部に対して抜き差しする際、指の滑りを防止することができる。
【発明を実施するための最良の形態】
【００１１】
以下、本発明の一実施形態について図面を参照して説明する。図１及び図２は、経腸栄養剤や流動食等が充填された口部材付きパウチ容器の口部材と胃ろうカテーテルとを接続するためのアダプタを示している。
【００１２】
このアダプタ１は、ポリプロピレンによって形成された筒状体であり、図１（ａ）、（ｂ）及び図２に示すように、一端側に形成された、胃ろうカテーテルの接続部に圧入される先細テーパ状のカテーテル側装着部１１と、他端側に形成された、口部材付きパウチ容器の口部材に接続されるパウチ側装着部１４と、カテーテル側装着部１１とパウチ側装着部１４とを接続する中間部１５とから構成されている。
【００１３】
口部材付きパウチ容器の口部材と胃ろうカテーテルとを接続する際は、パウチ側装着部１４及び中間部１５を持つようになっており、胃ろうカテーテルの接続部に圧入されるカテーテル側装着部１１に指が触れて汚染されないように、カテーテル側装着部１１と中間部１５との境界付近は、カテーテル側装着部１１の外径に比べて、中間部１５の外径が極端に小さくなっている。
【００１４】
前記カテーテル側装着部１１の外周面には滑り止め加工が施されているが、先端側の小径接続部１２に形成された滑り止め部１２ａと、基端側の大径接続部１３に形成された滑り止め部１３ａとでは、その形状が異なっており、小径接続部１２の滑り止め部１２ａは、複数の断面鋸歯状の突条によって構成されていると共に、大径接続部１３の滑り止め部１３ａは、複数の断面略半円状の突条によって構成されている。なお、このカテーテル側装着部１１の最小外径φ１は５．０〜７．０ｍｍ、最大外径φ２は１１．０〜１４．０ｍｍ、小径接続部１２と大径接続部１３との境界部分の中間外径φ３は７．５〜１０．０ｍｍ及び全長Ｌは２０〜４５ｍｍに設定されている。
【００１５】
前記小径接続部１２の全長は１０〜２５ｍｍ程度に設定されており、小径接続部１２の滑り止め部１２ａを構成している断面鋸歯状の各突条は、図３に示すように、その幅ｗ１（小径接続部１２の軸方向の長さ）が２〜６ｍｍ、大径側の段差ｖが０．１〜１．５ｍｍ、傾斜角度θが５〜２０度に設定されている。
【００１６】
前記大径接続部１３の全長は１０〜２０ｍｍ程度に設定されており、大径接続部１３の滑り止め部１３ａを構成している断面略半円状の各突条は、図３に示すように、その形成ピッチｐが１〜５ｍｍ、その幅ｗ２（小径接続部１２の軸方向の長さ）が０．２〜２ｍｍ、大径接続部１３の径方向の突出高さｈが０．１〜１ｍｍに設定されている。
【００１７】
前記パウチ側装着部１４には、その外周面に軸方向に延びる６本の突条１４ａからなるローレットが形成されており、口部材付きパウチ容器の口部材に形成されたねじと螺合する１条ねじ１４ｂが内周面に形成されている。従って、このアダプタ１を約１回転させるだけで、口部材付きパウチ容器の口部材に対して、簡単に着脱することができると共に、アダプタ１を回転させる際に、突条１４ａからなるローレットによって、指の滑りを確実に防止することができるようになっている。
【００１８】
前記中間部１５には、その外周面に周方向に延びる４本の突条１５ａからなるローレットが形成されており、このアダプタ１を胃ろうカテーテルの接続部に対して抜き差しする際、指が滑らないようになっている。
【００１９】
以上のように構成されたアダプタ１を用いて口部材付きパウチ容器の口部材と胃ろうカテーテルとを接続するには、まず、図４（ａ）に示すように、口部材付きパウチ容器２の口部材２１を閉塞しているスクリューキャップ２２を外して、同図（ｂ）に示すように、アダプタ１のパウチ側装着部１４を口部材付きパウチ容器２の口部材２１にねじ込んで装着する。
【００２０】
続いて、図５（ａ）、（ｂ）または図６（ａ）、（ｂ）に示すように、口部材付きパウチ容器２の口部材２１に装着したアダプタ１のカテーテル側装着部１１を、胃ろうカテーテル３Ａの接続部３１Ａまたは胃ろうカテーテル３Ｂの接続部３１Ｂに圧入すると、口部材付きパウチ容器２と胃ろうカテーテル３Ａまたは胃ろうカテーテル３Ｂとが、アダプタ１を介して接続され、口部材付きパウチ容器２に充填された経腸栄養剤や流動食を投与することができる状態になる。
【００２１】
胃ろうカテーテル３Ａの接続部３１Ａは、アダプタの圧入孔が小さいので、図５（ａ）、（ｂ）に示すように、アダプタ１のカテーテル側装着部１１における小径接続部１２だけを圧入することになるが、胃ろうカテーテル３Ｂの接続部３１Ｂは、アダプタの圧入孔が大きいので、図６（ａ）、（ｂ）に示すように、アダプタ１のカテーテル側装着部１１における小径接続部１２及び大径接続部１３の双方を圧入することになる。
【００２２】
以下、このアダプタ１の接続性能を評価するために、このアダプタ１（実施例１）、カテーテル側装着部の外周面の全面にアダプタ１の小径接続部１２と同様の滑り止め加工だけが施されている点を除いて、実施例１と同様の構成を備えているアダプタ（比較例１）、カテーテル側装着部の外周面の全面にアダプタ１の大径接続部１３と同様の滑り止め加工だけが施されている点を除いて、実施例１と同様の構成を備えているアダプタ（比較例２）を、上述した２種類の胃ろうカテーテル３Ａ、３Ｂの接続部３１Ａ、３１Ｂにそれぞれ圧入して、これを引き抜く際に必要な力をプッシュプルゲージによって測定し（測定スピード：１００ｍｍ／ｓｅｃ）、その結果を表１に示した。なお、胃ろうカテーテル３Ａの接続部３１Ａには、各アダプタの外径が９．０ｍｍの位置まで各アダプタを圧入し、胃ろうカテーテル３Ｂの接続部３１Ｂには、各アダプタの外径が１２．５ｍｍの位置まで各アダプタを圧入した。
【００２３】
【表１】
0005209285.tif 000002
【００２４】
表１から分かるように、カテーテル側装着部の外周面の全面にアダプタ１の小径接続部１２と同様の滑り止め加工だけが施されている比較例１の場合、圧入孔の小さい胃ろうカテーテル３Ａについては、５６．１Ｎといった大きな引抜力が必要となるので、十分な接続性能を備えているといえるが、圧入孔の大きい胃ろうカテーテル３Ｂについては、４２．１Ｎといった胃ろうカテーテル３Ａの場合よりも小さな引抜力で引き抜くことができるので、胃ろうカテーテル３Ａに比べて、接続性能が劣っているといえる。
【００２５】
一方、カテーテル側装着部の外周面の全面にアダプタ１の大径接続部１３と同様の滑り止め加工だけが施されている比較例２の場合、圧入孔の大きい胃ろうカテーテル３Ｂについては、５２．１Ｎといった大きな引抜力が必要となるので、十分な接続性能を備えているといえるが、圧入孔の小さい胃ろうカテーテル３Ａについては、４１．５Ｎといった胃ろうカテーテル３Ｂの場合よりも小さな引抜力で引き抜くことができるので、胃ろうカテーテル３Ｂに比べて、接続性能が劣っているといえる。
【００２６】
これに対して、先端側の小径接続部１２と基端側の大径接続部１３とを有する実施例１の場合は、圧入孔の小さい胃ろうカテーテル３Ａ及び圧入孔の大きい胃ろうカテーテル３Ｂの双方について、５７．９Ｎ及び５０．５Ｎといった大きい引抜力が必要となるので、胃ろうカテーテル３Ａ、３Ｂの双方について十分な接続性能を備えていることが分かる。
【００２７】
なお、上述した実施形態では、先端側の小径接続部１２と基端側の大径接続部１３とで、それぞれを構成している凸部の形状自体が異なっているが、これに限定されるものではなく、小径側と大径側とで突条の形成間隔や形成数を変化させるようにしてもよい。
【００２８】
また、上述した実施形態では、大径接続部１３の滑り止め部１３ａを断面略半円状の突条によって構成しているが、これに限定されるものではなく、例えば、断面三角形状、断面四角形状、断面多角形状等の突条を採用することも可能である。
【００２９】
また、上述した実施形態では、バルーン・チューブ型の胃ろうカテーテルと口部材付きパウチ容器との接続を例に挙げて説明したが、胃ろうカテーテルは、こういったバルーン・チューブ型に限定されるものではなく、本発明のアダプタは、バンパー・チューブ型や、ボタン型の接続チューブと口部材付きパウチ容器との接続にも適用することができることはいうまでもない。
【００３０】
また、上述した実施形態では、胃ろうカテーテルと口部材付きパウチ容器とを接続するためのアダプタについて説明したが、これに限定されるものではなく、本発明のアダプタは、チューブ状のカテーテルにコネクタが装着された各種コネクタ付き医療用カテーテルと口部材付きパウチ容器とを接続する場合にも適用することができることはいうまでもない。
【図面の簡単な説明】
【００３１】
【図１】（ａ）はこの発明に係るアダプタの一実施形態を示す平面図、（ｂ）は同上のアダプタを示す側面図、（ｃ）は同上のアダプタを示す底面図である。
【図２】図１（ｂ）のＸ−Ｘ線に沿った断面図である。
【図３】同上のアダプタにおける小径接続部及び大径接続部に形成されている滑り止め部の寸法を説明するための説明図である。
【図４】（ａ）、（ｂ）は同上のアダプタを用いて口部材付きパウチ容器の口部材と胃ろうカテーテルとを接続する方法を説明するための説明図である。
【図５】（ａ）、（ｂ）は同上のアダプタを用いて口部材付きパウチ容器の口部材と胃ろうカテーテルとを接続する方法を説明するための説明図である。
【図６】（ａ）、（ｂ）は同上のアダプタを用いて口部材付きパウチ容器の口部材と他の胃ろうカテーテルとを接続する方法を説明するための説明図である。
【符号の説明】
【００３２】
１  アダプタ
２  口部材付きパウチ容器
３Ａ、３Ｂ  胃ろうカテーテル（コネクタ付き医療用カテーテル）
１１  カテーテル側装着部
１２  小径接続部
１２ａ  突条
１３  大径接続部
１３ａ  突条
１４  パウチ側装着部
１４ａ  突条
１４ｂ  １条ねじ
１５  中間部
１５ａ  突条
２１  口部材
２２  スクリューキャップ
３１Ａ、３１Ｂ  接続部
【図１】
0005209285.tif 000003
【図２】
0005209285.tif 000004
【図３】
0005209285.tif 000005
【図４】
0005209285.tif 000006
【図５】
0005209285.tif 000007
【図６】
0005209285.tif 000008